(57)【要約】【課題】瞳孔径が小さい被検者に対しても撮影できる眼科撮影装置を提供すること。【解決手段】被検眼前眼部付近に配置された主経線方向とその垂直方向とで長さの異なる遮光領域を有し、光軸を中心に回転可能に配置された遮光手段を介して被検眼眼底を照明する眼底照明手段と、前記遮光手段の異なる回転角度に対応して眼底像を撮影し複数の画像を得る撮影手段と、前記複数の画像より１枚の画像を作成する画像合成手段を含んで眼科撮影装置を構成する。【選択図】図１
2005087546.tif 000002
【特許請求の範囲】
【請求項１】
被検眼前眼部付近に配置された主経線方向とその垂直方向とで長さの異なる遮光領域を有し、光軸を中心に回転可能に配置された遮光手段を介して被検眼眼底を照明する眼底照明手段と、前記遮光手段の異なる回転角度に対応して眼底像を撮影し複数の画像を得る撮影手段と、前記複数の画像より１枚の画像を作成する画像合成手段を有することを特徴とする眼科撮影装置。
【請求項２】
被検眼前眼部付近に配置された共通の主経線方向を有し、前記主経線方向とその垂直方向とで長さの異なる遮光領域を有し、光軸を中心に同一の回転速度で回転可能に配置された複数の遮光手段を有し、これらの絞りを介して被検眼眼底を照明する眼底照明手段と、前記遮光手段の異なる回転角度に対応して眼底像を撮影して複数の画像を得る撮影手段と、前記複数の画像より１枚の画像を作成する画像合成手段を有することを特徴とする眼科撮影装置。
【発明の詳細な説明】
【技術分野】
【０００１】
本発明は、眼科医院等において用いられる眼科撮影装置に関するものである。
【背景技術】
【０００２】
従来より、被検眼前眼部付近で、撮影光束と照明光束を分離するため、眼底カメラの照明光学系には、被検眼瞳孔付近、更には、その前後、例えば水晶体の後面付近に結像する光軸を含む周辺に遮光領域を有しリング状の開口を持つ遮光絞りを有する。
【０００３】
従って、被検者の瞳孔径が前記遮光領域より大きい場合には適正な明るさの画像が得られるが、瞳孔径が前記遮光領域より小さい被検者は、照明光束が虹彩で制限されるため、眼底画像の中心付近が暗くなる。そのため、異なる大きさの遮光絞りを設け、瞳孔径の小さい被検眼を撮影するときには、遮光領域の小さい遮光絞りに交換して撮影していた。
【０００４】
【特許文献１】特開平０５−０１５４９７号公報
【特許文献２】特開平０５−１９９９９７号公報
【特許文献３】特開平０５−３０５０５９号公報
【発明の開示】
【発明が解決しようとする課題】
【０００５】
しかしながら、上述の従来例においては、前記遮光絞りの大きさを小さくしたことにより、撮影光束と照明光束の分離範囲が少なくなるため、眼底像の周辺にフレアーが発生し、周辺部の画質が低下し、又はフレーアーと重なって、眼底所見が得られないという問題があった。
【０００６】
本発明の目的は、上述の問題点を解消し、瞳孔径が小さい被検者に対しても撮影できる眼科撮影装置を提供することにある。
【課題を解決するための手段】
【０００７】
上記目的を達成するため、請求項１記載の眼科撮影装置は、被検眼前眼部付近に配置された主経線方向とその垂直方向とで長さの異なる遮光領域を有し、光軸を中心に回転可能に配置された遮光手段を介して被検眼眼底を照明する眼底照明手段と、前記遮光手段の異なる回転角度に対応して眼底像を撮影し複数の画像を得る撮影手段と、前記複数の画像より１枚の画像を作成する画像合成手段を有することを特徴とする。
【０００８】
又、請求項２記載の眼科撮影装置は、被検眼前眼部付近に配置された共通の主経線方向を有し、前記主経線方向とその垂直方向とで長さの異なる遮光領域を有し、光軸を中心に同一の回転速度で回転可能に配置された複数の遮光手段を有し、これらの絞りを介して被検眼眼底を照明する眼底照明手段と、前記遮光手段の異なる回転角度に対応して眼底像を撮影して複数の画像を得る撮影手段と、前記複数の画像より１枚の画像を作成する画像合成手段を有することを特徴とする。
【発明の効果】
【０００９】
本発明によれば、主経線方向とそれに垂直な経線方向に異なる長さの遮光領域を有する絞りを回転しながら複数枚撮影し、それらの画像から画質の良好な部分を選択し、１枚の眼底像を合成することにより、小さな瞳孔径の被検者に対しても良好な画像を得ることができるため、撮影の効率を高めることができる。
【発明を実施するための最良の形態】
【００１０】
以下に本発明を図示の実施の形態に基づいて詳細に説明する。
【００１１】
図１は本発明を実施した眼底カメラの構成図である。
【００１２】
被検眼Ｅの前方に、対物レンズ１、孔あきミラー２、この孔あきミラー２の孔中に配置した撮影絞り３、フォーカスレンズ４、撮影レンズ５、色分解プリズム６、撮像素子７ｒ，７ｇ，７ｂから成る撮像機構を配列する。
【００１３】
孔あきミラー２の入射方向の眼底照明系には、孔あきミラー２側から図２（Ａ）に示すように、角膜付近に投影する主経線方向とそれに垂直な方向とで異なる長さを有し、光軸を含む遮光領域を有する絞りである角膜絞り９、リレーレンズ１０、光路に挿脱自在で赤外光をカットする赤外光カットフィルタ１１、前記角膜絞りと同様、被検眼水晶体後面付近に投影する図２（Ｂ）に示すように主経線方向とその垂直方向に異なる長さを有する遮光領域を有する絞りである水晶体絞り１２、被検眼の瞳孔付近に投影する図２（Ｃ）に示すように主経線方向とそれに垂直な方向に異なる長さの遮光領域を有する絞りである瞳絞り１３、ストロボ管から成る撮影光源１４、コンデンサレンズ１５、定常光を発するハロゲンランプ等の観察光源１６を配列する。前記絞り９，１２，１３の主経線方向は一致しており、回転駆動手段３１により、光軸を中心としてそれぞれが同一の角速度で回転するように構成されている。
【００１４】
撮像素子７ｒ，７ｇ，７ｂのそれぞれの出力は、信号増幅回路８ｒ，８ｇ，８ｂを経て画像ボード２１ｒ，２１ｇ，２１ｂに接続する。画像ボード２１ｒ，２１ｇ，２１ｂは、赤、緑、青信号用のＡ／Ｄ変換部２２ｒ，２２ｇ，２２ｂ，メモリ２３ｒ，２３ｇ，２３ｂから構成され、画像ボード２１ｒ，２１ｇ，２１ｂの出力は画像制御手段２４に接続する。
【００１５】
画像制御手段２４は、制御手段２５、画像記録手段２６、テレビモニタ２７、液晶表示手段１６に接続する。画像記録手段２６はＭＯ、ＭＤ、ＤＶＤ−ＲＡＭ、ＶＴＲテープ、ハードディスク等の不揮発性の記録媒体Ｄへの書き込み又は読み出しを行うドライブ装置である。
【００１６】
制御手段２５は、撮影スイッチ２９及びストロボ発光制御回路３０を介して撮影光源１３に接続する。尚、制御手段２５内にはメモリ２５ａ、ストロボ発光制御回路３０内に発光光量を制御する第１のコンデンサ３０ａ、第２のコンデンサ３０ｂ、第３のコンデンサ３０ｃを設ける。
【００１７】
この眼底カメラを用い、眼底を撮影する場合においては、先ず被検眼Ｅの眼底Ｅｒを赤外光で観察しながら、被検眼Ｅと眼底カメラとの位置合わせを行う。この観察状態において、赤外光カットフィルタ１０は光路から離脱される。この状態で、前記角膜絞り９、水晶体絞り１２、瞳孔絞り１３は、前記遮光経線を略一致したまま、光軸を中心に毎秒５回転程度の速さで回転制御されている。
【００１８】
観察光源１６を発した赤外光は、コンデンサレンズ１５により集光され、撮影光源１４、回転している絞り１３、絞り１２の開口部分を通過し、レンズ１０、回転している角膜絞り９の開口部分を通り、孔あきミラー２の周辺のミラー部により左方に反射され、対物レンズ１、瞳孔Ｅｐを通して眼底Ｅｒを照明する。
【００１９】
このように、赤外光で照明された眼底Ｅｒの像は、再び対物レンズ１、撮影絞り３、フォーカスレンズ４、撮影レンズ５を通り、色分解プリズム６に入射する。色分解プリズム６は赤外光と赤色光を撮像素子７ｒに、青色の光を撮像素子７ｂに、緑色の光を撮像素子７ｇに導くが、観察光は赤外光のため撮像素子７ｒに結像し、電気信号に変換される。
【００２０】
図３は前記絞りの遮光領域の主経線方向が垂直方向を向いているときの眼底が照明されている様子を示す図である。
【００２１】
３０１，３０２に示すように左右に照明の光が届かない部分ができるが、上下方向は、周辺まで良好に照明されている。この光の届かない領域は、図４に示すように、前記絞りの主経線方向の回転と共に回転する。
【００２２】
図５は撮像素子に映った眼底像であり、前記のように、照明が暗い部分に加え、被検眼の水晶体及び角膜で発生したフレアー、ゴースト像５０１，５０２も映り込んでいる。図６に示すように、これらの像も前記絞りの主経線方向の回転に連動して回転する。
【００２３】
この眼底像は、信号増幅手段８ｒを通り観察用に予め決められた増幅率で増幅され、画像制御手段２４に入力されてデジタルデータに変換される。画像制御手段２４は、前記画像データより、図５の５０３に示すように照明が略均一で、フレアーやゴースト光の無い部分のデータのみを取り出し、前記５０３の部分以外は黒画像に変換し、図７に示すようにモニター２７に表示する。この画質の良好な部分は、前記絞りの回転角度に対応して、予め決っているので、前記絞りの角度に対応して画像を取り出すアドレスを決めたテーブルを作成することにより容易に変換できる。この画像は、1/３０秒毎に更新され、６枚の画像で全ての部分が表示される。即ち、１／５秒ごと全ての部分が表示されるため、撮影者は、略リアルタイムに眼底の全領域を観察し、撮影部位、ピント等を確認することができる。
【００２４】
この画像を観察し、撮影準備が整ったことを確認した撮影者は、撮影スイッチ２９を操作する。
【００２５】
撮影スイッチ２９からの入力を検知した制御手段２５は、赤外光カットフィルタ１１を光路内に挿入し、ストロボ発光制御回路３０によりコンデンサ３０ａの電荷を放電して撮影光源１４を発光する。撮影光源１４を発した光は、絞り１３、絞り１２の開口部分を通過し、赤外光カットフィルタ１１により可視光のみが透過し、リレーレンズ１０、絞り９の開口部分を通り孔あきミラー２の周辺のミラー部により左方に反射され、対物レンズ１、瞳孔Ｅｐを通して眼底Ｅｒを照明する。
【００２６】
このように照明された眼底Ｅｒの像は、再び対物レンズ１、撮影絞り３、フォーカスレンズ４、撮影レンズ５を通り、色分解プリズム６に入射して各色に分解され、撮像素子７ｒ，７ｇ，７ｂに結像し、電気信号に変換される。この信号は、信号増幅手段８ｒ，８ｇ，８ｂを経て予め決められた増幅率で増幅されＡ／Ｄ変換部２２ｒ，２２ｇ，２２ｂにてデジタル画像データに変換され、画像制御手段２４に入力され画像メモリ２４ａに前記回転絞りの主経線方向の角度情報と共に記録される。
【００２７】
記録完了信号を検知した制御手段２５は、前記絞りの主経線奉公が前記撮影の時から３０°回転したタイミングに同期して再度第２のコンデンサー３１ｂに蓄積してある電荷によりストロボ光源１４を発光するとともに、第１のコンデンサー３１ａに充電を開始する。ストロボ光源１４を発光した光は、前記と同様被検眼眼底Ｅｒを照明するが、前述の通り、前記絞りの遮光部分は回転を続けているので、眼底の照明部位もその角度に連動し変化している。
【００２８】
このように照明された眼底像は、前記と同様、色分解プリズム６に入射して各色に分解され、撮像素子７ｒ，７ｇ，７ｂに結像し、電気信号に変換される。この信号は、信号増幅手段２０ｒ，２０ｇ，２０ｂを経て予め決められた増幅率で増幅されＡ／Ｄ変換部２２r ，２２ｇ，２２ｂにてデジタル画像データに変換され、画像制御手段２４に入力されて画像メモリ２４ａに前記絞りの回転角度と共に記憶される。記録完了信号を検知した制御手段２５は、次に第３のコンデンサー３１ｃに蓄積してある電荷によりストロボ光源１３を発光するとともに、第２のコンデンサー３１ｂに充電を開始する。
【００２９】
前記と同様、眼底は、この光源１３を出た光により照明され、この眼底像は撮像素子７ｒ，７ｇ，７ｂに結像し、電気信号に変換される。この信号は、信号増幅手段２０ｒ，２０ｇ，２０ｂを経て予め決められた増幅率で増幅されＡ／Ｄ変換部２２ｒ，２２ｇ，２２ｂにてデジタル画像データに変換され、画像制御手段２４に入力されて画像メモリ２４ａに前記絞りの回転角度と共に記憶される。
【００３０】
このように、制御手段は、前記絞りの回転角度に同期して、次々とストロボ光源１３を発光及び撮像素子からの画像の読み出しを行い、前記絞りの主経線方向が異なる６枚の画像をメモリー２４ａに記録する。前記６枚の画像は、図９に示すように、良好な画像部分が前記経線方向と共に回転している。画像制御手段２４は、これら６枚の画像から、図９の９０１，９０２，９０３, ９０４，９０５，９０６に示した画像が良好な部分を抜き出して、図９（Ｆ）に示すように１枚の眼底画像を合成し、この合成した眼底像を記録手段２６により記録媒体Ｄに記録し、更にモニター２７に表示して撮影を終了する。
【００３１】
前記図９に示した画像の良好な部分は、図に示した通り、撮影時の前記絞りの回転角度により決るので、各画像から抜き出す部分は、予め画像アドレスのテーブルを作成することにより容易に選択できる。
【００３２】
前記絞りの像と撮影絞りの被検眼瞳孔上での関係について図１０に示す。
【００３３】
１０１は被検眼の虹彩であり、この内側が被検眼瞳孔である。前記絞りの遮光領域は、１０２に示すように瞳孔内に投影される。従って、この部分は光が通過できないため、１０３に示すように左右の部分から眼底は照明される。撮影絞りは、１０４に示すように瞳孔の中心に配置される。これにより、従来の丸い遮光領域を有するリング状の絞りを介して照明する場合よりも、内側の部分を使って眼底を照明できるため、小さい瞳孔径の被検者に対しても良好な画像を得ることができる。
【００３４】
フレアー、ゴーストが全ての経線方向について画像の中に入らなくするためには、前記絞りの遮光領域を全ての経線方向で一定大きさ、つまり円形に形成しなければならないが、被検眼の瞳孔径が前記絞りの大きさよりも小さくなると、途端に照明が困難になり、撮影ができなくなる。上記実施の形態に示したように、遮光領域の大きさを主経線方向とそれに垂直な方向で異ならしめることにより、フレーアーの発生する範囲を制限して画像の良好な部分を確保することができるため、良好な部分を抜き出すことにより、小瞳孔径の被検者の撮影が可能になる。
【００３５】
以上の実施の形態においては、ストロボ光源を何度も続けて発光したが、連続発光する放電管を用いても良い。
【００３６】
又、以上の実施の形態においては、前記経線方向に遮光領域を有する絞りを回転し続けて静止画を撮影したが、ストロボ発光の瞬間、前記回転を停止した方が有効な画像領域を広く撮影できるため、撮影の効率が向上する。
【００３７】
絞りを液晶表示素子で構成することにより、可動部を無くすことができ、構造を簡略化することができる。
【産業上の利用可能性】
【００３８】
本発明は、眼科医院等において用いられる眼科撮影装置に対して適用可能である。
【図面の簡単な説明】
【００３９】
【図１】本発明の実施の形態１の眼底カメラの構成図である。
【図２】経線方向に遮光領域を有する絞りを示す図である。
【図３】眼底が照明される様子を示す図である。
【図４】眼底が照明される様子を示す図である。
【図５】撮像手段に映る眼底像を示す図である。
【図６】撮像手段に映る眼底像を示す図である。
【図７】モニターに映る眼底像を示す図である。
【図８】モニターに映る眼底像を示す図である。
【図９】メモリーに記録された眼底像を示す図である。
【図１０】被検眼瞳孔と絞りの位置関係を示す図である。
【符号の説明】
【００４０】
１    対物レンズ
２    孔あきミラー
３    撮影絞り
４    フォーカスレンズ
５    撮影レンズ
６    色分割プリズム
７    撮像素子
８    増幅回路
９    角膜絞り
１０    レンズ
１１    赤外光カットフィルター
１２    水晶体絞り
１３    瞳孔絞り
１４    撮影光源
１５    レンズ
１６    観察光源
２１    画像ボード
２２    Ａ／Ｄ変換部
２３    メモリ
２４    画像制御手段
２５    制御手段
２６    画像記録手段
２７    テレビモニタ
２９    撮影スイッチ
３０    ストロボ発光制御回路
【図１】
2005087546.tif 000003
【図２】
2005087546.tif 000004
【図３】
2005087546.tif 000005
【図４】
2005087546.tif 000006
【図５】
2005087546.tif 000007
【図６】
2005087546.tif 000008
【図７】
2005087546.tif 000009
【図８】
2005087546.tif 000010
【図９】
2005087546.tif 000011
【図１０】
2005087546.tif 000012